(57)【要約】【課題】付加機能を持つ空気調和装置と基本機能しか持たない空気調和装置との間で電装ユニットの共通化をできるだけ行いつつ、電装ユニットの製造コストを抑える。【解決手段】室内機の電装ユニットは、基本機能に加えて付加機能を追加可能な空気調和装置の室内機の電装ユニットであって、基本機能に関する電気部品が実装される主基板４０と、基本機能のための電源を商用交流電源から生成する第１電源回路４０ａとを備えている。そして、この電装ユニットでは、付加機能を追加するときに、付加機能に関する電気部品が実装される付加機能駆動基板５０と、付加機能のための電源を商用交流電源から生成する第２電源回路５０ａとがさらに配備される。【選択図】        図４
2004251545.tif 000002
【特許請求の範囲】
【請求項１】
基本機能に加えて付加機能を追加可能な空気調和装置の室内機（８３）の電装ユニット（３０）であって、
前記基本機能に関する電気部品が実装される主基板（４０）と、
前記基本機能のための電源を一次電源から生成する第１電源回路（４０ａ）と、を備え、
前記付加機能を追加するときには、前記付加機能に関する電気部品が実装される付加機能駆動基板（５０）と、前記付加機能のための電源を一次電源から生成する第２電源回路（５０ａ）とが、さらに配備される、
空気調和装置の室内機の電装ユニット（３０）。
【請求項２】
前記付加機能は、イオン発生機能、湿度制御機能、人検知機能、超音波発生機能、ホームオートメーション機能、および垂直フラップ駆動機能のうちの少なくとも１つの機能である、
請求項１に記載の空気調和装置の室内機の電装ユニット（３０）。
【請求項３】
前記主基板（４０）に実装される電気部品には、前記基本機能の駆動を制御する第１マイクロコンピュータ（４０ｂ）が含まれており、
前記付加機能駆動基板（５０）に実装される電気部品には、前記付加機能の駆動を制御する第２マイクロコンピュータ（５０ｂ）が含まれている、
請求項１又は２に記載の空気調和装置の室内機の電装ユニット（３０）。
【請求項４】
前記第２電源回路（５０ａ）に対する前記一次電源からの電源供給および電源供給遮断を切り替える切替手段をさらに備える、
請求項１から３のいずれかに記載の空気調和装置の室内機の電装ユニット（３０）。
【発明の詳細な説明】
【０００１】
【発明の属する技術分野】
本発明は、空気調和装置の室内機の電装ユニット、特に、基本機能に加えて付加機能を追加可能な空気調和装置の室内機の電装ユニットに関する。
【０００２】
【従来の技術】
近年、家庭など多くの場所に空気調和装置が設置されるようになってきている。そして、最近では、マイコン（マイクロコンピュータ）が内蔵され高度の機能を持つ空気調和装置が出現してきている。また、冷暖房などの基本機能だけではなく、垂直フラップによるきめ細かい送風調整機能、脱臭機能、イオン発生機能、集塵機能など、複数の付加的な機能を装備する空気調和装置も現れてきている。例えば、特許文献１に開示されている空調装置は、高圧放電を利用する殺菌集塵装置を備えており、特許文献２に開示されている空気調和機は、空調室内の人を検知する人検知機能を備えている。
【０００３】
【特許文献１】
特開平９−６１０号公報
【０００４】
【特許文献２】
特開２００１−２５４９８６号公報
【０００５】
【発明が解決しようとする課題】
上記のように、最近のルームエアコンなどの空気調和装置では、高度な付加機能をつけて運転を行い、より快適な空調環境の提供を図ろうとする傾向がある。但し、このような高度な付加機能の制御となると、制御用回路の電気部品の種類や数が増え、これらの電気部品を搭載する基板を含む電装ユニットが大型化する。
【０００６】
一方、高度な付加機能を持つ高級な空気調和装置とは別に、基本機能に機能を絞った廉価版の空気調和装置も存在する。したがって、高級仕様の空気調和装置と廉価版の空気調和装置とで共通化できる部分を共通化しておけば、メーカーとしてはユーザーに対して安価に各空気調和装置を提供できることになる。このため、メーカーにおいては、できるだけ高級仕様の空気調和装置と廉価版の空気調和装置とで各部の共通化を図る傾向が見られる。
【０００７】
当然、室内機の電装ユニットについても以前から共通化が図られており、本願出願人は、ＤＣ電源回路やマイコンが実装される主たる基板を、付加機能を持つ高級な空気調和装置と基本機能しか持たない廉価版の空気調和装置との間で共通化している。
しかし、上記のように近年では次々に高度な付加機能が出現してきており、これらを搭載できるように共通の主基板を設計していくと、その基板が大型化してしまうとともに製造コストも嵩んでしまうという不具合が出始めている。
【０００８】
本発明の課題は、付加機能を持つ空気調和装置と基本機能しか持たない空気調和装置との間で電装ユニットの共通化をできるだけ行いつつ、電装ユニットの製造コストを抑えることにある。
【０００９】
【課題を解決するための手段】
請求項１に係る空気調和装置の室内機の電装ユニットは、基本機能に加えて付加機能を追加可能な空気調和装置の室内機の電装ユニットであって、主基板と、第１電源回路とを備えている。そして、この電装ユニットでは、付加機能を追加するときに、付加機能駆動基板と、第２電源回路とがさらに配備される。主基板には、基本機能に関する電気部品が実装される。第１電源回路は、基本機能のための電源を一次電源から生成する。付加機能駆動基板には、付加機能に関する電気部品が実装される。第２電源回路は、付加機能のための電源を一次電源から生成する。なお、主基板および付加機能駆動基板は、それぞれ、１枚の基板であってもよいし、複数の基板の集合体であってもよい。
【００１０】
従来においては、付加機能を持つ空気調和装置と基本機能しか持たない空気調和装置との間で電装ユニットの共通化を図る場合に、付加機能がある場合を考慮した電源回路を電装ユニットの主基板に用意しており、製造コストが上がっている。すなわち、付加機能がないとした場合で考えれば電源回路が過剰能力を持つものとなっており、基本機能しか持たない空気調和装置に搭載する電装ユニットとしては無駄な能力を持つ高コストのものとなっている。
【００１１】
これに対し、本発明の電装ユニットでは、主基板に実装される電気部品を基本機能に関するものに絞り、付加機能に関する電気部品は必要に応じて用意する付加機能駆動基板に実装するようにしている。そして、付加機能を追加するときには第１電源回路のほかに第２電源回路を配備するようにして、この第２電源回路に付加機能のための電源を生成させている。このため、主基板に実装することになる電気部品が減り、第１電源回路も低コストなものとすることができるようになる。
【００１２】
このように、ここでは、主基板および第１電源回路を備える電装ユニットを、付加機能を持つ空気調和装置と基本機能しか持たない空気調和装置とで共通で使えるものとして低コストで用意できるとともに、付加機能を持つ空気調和装置に対しては、付加機能駆動基板と第２電源回路とをさらに配備することで製造を可能としている。これにより、共通の電装ユニットの製造コストを抑えつつ、付加機能を持つ空気調和装置にも対応することができるようになっている。
【００１３】
なお、一次電源は例えば商用交流電源であり、第１および第２電源回路は例えば商用交流電源を直流電源に変換するＤＣ電源回路である。
請求項２に係る空気調和装置の室内機の電装ユニットは、請求項１に記載の電装ユニットであって、付加機能は、イオン発生機能、湿度制御機能、人検知機能、超音波発生機能、ホームオートメーション機能、および垂直フラップ駆動機能のうちの少なくとも１つの機能である。
【００１４】
ここでは、例えば、あるメーカーが製造する複数種類の空気調和装置の室内機のうち全ての室内機が有する基本機能には、イオン発生機能、湿度制御機能、人検知機能、超音波発生機能、ホームオートメーション機能、垂直フラップ駆動機能といった付加機能が含まれておらず、これらの付加機能を持たせる種類の空気調和装置に対しては付加機能を追加させる。ここに列挙したような付加機能は廉価版などの基本機能に機能を絞った空気調和装置では必要なく、これらの付加機能に関する電気部品が主基板から外れ、これらの付加機能のための電源を第１電源回路が供給する必要がなくなる。このため、主基板および第１電源回路を備える電装ユニットの製造コストが小さく抑えられる。
【００１５】
請求項３に係る空気調和装置の室内機の電装ユニットは、請求項１又は２に記載の電装ユニットであって、主基板に実装される電気部品には、基本機能の駆動を制御する第１マイクロコンピュータが含まれている。また、付加機能駆動基板に実装される電気部品には、付加機能の駆動を制御する第２マイクロコンピュータが含まれている。
【００１６】
ここでは、主基板に実装する第１マイクロコンピュータに基本機能の駆動の制御という役割だけを与え、付加機能の駆動については、付加機能駆動基板に実装される第２マイクロコンピュータに制御を委ねる構成を採っている。したがって、第１マイクロコンピュータの仕様を最小限に抑えることが可能となる。このため、付加機能を持つ空気調和装置と基本機能しか持たない空気調和装置とに対して共通となる主基板および第１電源回路を備える電装ユニットの製造コストが、さらに抑えられるようになる。
【００１７】
請求項４に係る空気調和装置の室内機の電装ユニットは、請求項１から３のいずれかに記載の電装ユニットであって、切替手段をさらに備えている。切替手段は、第２電源回路に対する一次電源からの電源供給および電源供給遮断を切り替える。
ここでは、切替手段によって、付加機能のための電源を生成する第２電源回路に対する一次電源からの電源供給状態と電源供給遮断状態とを切り替えることができる。したがって、例えば操作入力待ちといった主基板による最小限の基本機能だけが作動していればよい期間において、必要に応じて第２電源回路に対する一次電源からの電源供給を遮断することができるようになる。これにより、付加機能を持ち第１電源回路と第２電源回路とを備えることになる空気調和装置の室内機においても、省エネルギー化を図ることができる。
【００１８】
【発明の実施の形態】
＜空気調和装置の概要＞
本発明の一実施形態に係る室内機８３の電装ユニット３０を含む空気調和装置８１を、図１に示す。空気調和装置８１は、１つの室外機８２に対して１つの室内機８３が対応づけられ、冷媒配管や伝送線から成る集合連絡管８９によって両者８２，８３が接続されている。
【００１９】
［室内機の基本機能に関する構成］
図２に示すように、空気調和装置８１の室内機８３は、ファンロータ３、熱交換器４、電装ユニット３０などから構成されている。これらの構成部品は、前面グリル組立体１０、前面パネル１１、底フレーム１２などから構成されるケーシング内に配置される。底フレーム１２は、室内の壁面に固定される据付板１５に装着され、室内壁などに固定される。前面グリル組立体１０の上面にはスリット状の上部吸込口１０ａが設けられ、前面パネル１１にも上方および側方に前面吸込口１１ａが設けられている。これらの吸込口１０ａ，１１ａの内方には、空気清浄用のエアフィルタ１７が配置される。また、前面グリル組立体１０の前面下部には、ファンロータ３によって生成された空気流を吹き出す吹出口が形成される。
【００２０】
ファンロータ３は、底フレーム１２に形成されたファン収納部１２ａに配置され、一端が軸受１３を介して底フレーム１２に取り付けられ、他端がファンモータ１４の回転軸と連結される。このファンモータ１４は、モータ固定部材１６によって底フレーム１２に固定される。
熱交換器４は、ファンロータ３の前方、上方および後部上方を取り囲むように設けられている。この熱交換器４は、左右両端で複数回折り返された伝熱管に多数の放熱フィンが取り付けられたものであり、ファンロータ３の駆動により上部吸込口１０ａおよび前面吸込口１１ａから吸い込まれた空気をファンロータ３側に通過させ、伝熱管の内部を通過する冷媒と空気との間で熱交換を行わせるものである。熱交換器４は、冷媒配管を介して室外機からの冷媒配管と接続される。また、熱交換器４の正面側部分の下方には、前ドレンパンや吹き出し空気の方向を調整するための水平フラップなどを含むドレンパン組立体１８が配置される。
【００２１】
上記のような構成により、室内機８３は、ファンロータ３によって吸込口１０ａ，１１ａから内部に吸い込んだ空気を熱交換器４に通すことで除熱あるいは加熱して吹出口から室内へと吹き出す基本機能を有する。除熱あるいは加熱といった空気調和処理は、吸込空気温度や熱交換器温度などを基に、図示しない電動膨張弁や室外機８２内の圧縮機の制御により行われる。また、表示パネル２２（図３参照）による運転状態表示、ブザーの鳴動、水平フラップによる吹出空気の上下方向制御などの機能も、室内機８３が基本機能として備えている。
【００２２】
［室内機の付加機能に関する構成］
これまでは、基本機能に機能を絞った廉価版の空気調和装置８１の室内機８３について説明したが、たくさんの付加機能を盛り込んだ高級仕様の空気調和装置では、マイナスイオン発生機能、加湿ユニットによる湿度制御機能、室内の人の位置に応じた空調制御を行うための人検知機能、癒し効果を目的とする超音波発生機能、垂直フラップによる吹出空気の左右方向制御機能、集中制御や遠隔制御などを可能にするホームオートメーションに参画するための機能などを有することになる。
【００２３】
マイナスイオン発生機能を付加する場合には、電極などの他に、後述するマイナスイオン発生用回路５０ｃを備えた付加機能駆動基板５０をさらに装備することになる。湿度制御機能を付加する場合には、室外などに設けられた加湿ユニットの他に、加湿制御を行うマイクロコンピュータ５０ｂ（後述）を備えた付加機能駆動基板５０をさらに装備することになる。人検知機能を付加する場合には、人検知センサーの他に、後述する人検知回路５０ｈを備えた付加機能駆動基板５０をさらに装備することになる。吹出空気の左右方向制御機能を付加する場合には、モータで駆動される垂直フラップの他に、後述する垂直フラップ駆動回路５０ｄを備えた付加機能駆動基板５０をさらに装備することになる。ホームオートメーションに参画するための機能を付加する場合には、後述するホームオートメーション用回路５０ｅを備えた付加機能駆動基板５０をさらに装備することになる。
【００２４】
［電装ユニットの基本構成］
電装ユニット３０は、図３に示すように、基本的には、ケーシング３０ａと、そのケーシング内に設けられ多くの電気部品が実装される主基板４０とから構成されている。また、アクティブフィルタを含むＤＣ電源回路４０ａが、主基板４０に形成されている。ＤＣ電源回路４０ａは、電気ケーブル４９ａおよびコンセントプラグ４９を介して商用交流電源と接続され、商用交流電源からの入力を整流回路で整流し、コンデンサによって直流電圧を出力する。このようにして、ＤＣ電源回路４０ａは、上述の室内機８３の基本機能に必要なＤＣ電源を商用交流電源から生成する。
【００２５】
主基板４０は、１枚のプリント基板であってもよいし、複数のプリント基板の集合体であってもよい。主基板４０には、基本機能に関する制御を行うためのマイクロコンピュータ４０ｂ（以下、マイコン４０ｂという。）、ファンモータ１４を駆動するためのＤＣファンドライブ回路４０ｃ、水平フラップ駆動モータ２１を駆動するための水平フラップ駆動回路４０ｄ、定数設定回路４０ｅ、フラッシュメモリへの書き込みのためのフラッシュ書換回路４０ｆ、室外電装ユニット８２ａとの伝送を行うための内外伝送回路４０ｇ、マイコン周辺回路４０ｈ、リモコン（図示せず）からの赤外線信号を受光する受光センサー２３とマイコン４０ｂとを結ぶ受光回路４０ｉ、表示パネル２２における表示を制御するための表示回路４０ｊ、操作音などを発するブザー（図示せず）を駆動するためのブザー駆動回路４０ｋ、吸込温度センサー２４や熱交換器温度センサー（図示せず）からの入力をマイコン４０ｂに伝えるセンサー入力回路４０ｌなどが設けられている。このように、主基板４０には、上述の室内機８３の基本機能に関する電気部品が実装されて、各機能に対応する回路が形成されている。
【００２６】
なお、主基板４０に設けられるマイコン４０ｂは、基本機能に関する制御を行うためだけの最小限の仕様となっており、上述の室内機８３の各付加機能について制御を行う能力は有していない。
［室内機に付加機能が備わる場合の電装ユニットの構成］
上記のように、電装ユニット３０は、基本的には、ケーシング３０ａと主基板４０とから構成されている。
【００２７】
これに対し、付加機能が付けられた高級仕様の空気調和装置に対しては、図３に示す主基板４０に加えて、図４に示す付加機能駆動基板５０がさらに配備される。この付加機能駆動基板５０と主基板４０とは、信号線４８で結ばれる。また、基本機能用のＤＣ電源回路４０ａでは付加機能を駆動できないため、付加機能用のＤＣ電源回路５０ａが配備される。
【００２８】
付加機能駆動基板５０は、１枚のプリント基板であってもよいし、複数のプリント基板の集合体であってもよい。付加機能駆動基板５０には、付加機能に関する電気部品が実装される。具体的には、図４に示すように、付加機能に関する制御を行うためのマイクロコンピュータ５０ｂ（以下、マイコン５０ｂという。）、マイナスイオン発生用回路５０ｃ、垂直フラップ駆動回路５０ｄ、ホームオートメーション用回路５０ｅ、超音波発生回路５０ｆ、マイコン周辺回路５０ｇ、人検知回路５０ｈなどが付加機能駆動基板５０に設けられる。
【００２９】
付加機能用のＤＣ電源回路５０ａは、主基板４０のＤＣ電源回路４０ａとは別に、付加機能の駆動に必要なＤＣ電源を商用交流電源から生成するために設けられており、付加機能駆動基板５０に形成されている。このＤＣ電源回路５０ａは、図４に示すように電気ケーブル４９ｂおよびコンセントプラグ４９を介して直接に商用交流電源と、あるいは主基板４０に設けられるリレーを介して商用交流電源と結ばれる。また、ＤＣ電源回路５０ａは、電圧値の異なる複数の電源を生成するマルチ電源回路である。さらに、ＤＣ電源回路５０ａは、ＤＣ電源回路４０ａと同様にアクティブフィルタを有している。
【００３０】
なお、付加機能駆動基板５０に設けられるマイコン５０ｂは、付加機能に関する制御を行うためのものであり、主基板４０のマイコン４０ｂとは別個に設けられている。
次に、室内機に付加機能が備わる場合に、ケーシング３０ａと主基板４０とから構成される電装ユニット３０に付加機能駆動基板５０等が加わる態様を、図５および図６を参照して説明する。
【００３１】
例えば、図５に示すように、基本機能に加えて癒し用の超音波発生機能が付加される室内機１８３では、主基板４０を収容するケーシング３０ａの上にケーシング３０ｂが配備され、そのケーシング３０ｂ内にＤＣ電源回路５０ａを持つ付加機能駆動基板５０が配置される。そして、室内機１８３の正面近傍には、超音波発生回路５０ｆを有する付加機能駆動基板５０が配置される。このように、ケーシング３０ｂおよび所定の付加機能駆動基板５０を主基板４０およびケーシング３０ａに追加することで、超音波発生機能が付加された室内機１８３の電装ユニットを形成することができる。
【００３２】
また、図６に示すように、基本機能に加えてマイナスイオン発生機能だけが付加される室内機２８３では、主基板４０を収容するケーシング３０ａの上にケーシング３０ｂが配備され、そのケーシング３０ｂ内にＤＣ電源回路５０ａを持つ付加機能駆動基板５０と高電圧を発生するマイナスイオン発生用回路５０ｃを持つ付加機能駆動基板５０とが配置される。そして、室内機２８３の吹出口近傍には、マイナスイオン発生用回路５０ｃによる高電圧が印加される電極５７が配置される。このように、ケーシング３０ｂおよび所定の付加機能駆動基板５０を主基板４０およびケーシング３０ａに追加することで、マイナスイオン発生機能が付加された室内機２８３の電装ユニット３０を形成することができる。
【００３３】
＜空気調和装置の室内機の特徴＞
（１）
従来においては、付加機能を持つ空気調和装置と基本機能しか持たない空気調和装置との間で電装ユニットの共通化を図る場合には、図７に示すように、付加機能がある場合を考慮したＤＣ電源回路１４０ａを電装ユニットの主基板１４０に用意しており、製造コストが上がっている。すなわち、付加機能がないとした場合で考えればＤＣ電源回路１４０ａが過剰能力を持つものとなっており、基本機能しか持たない空気調和装置に搭載する電装ユニットとしては無駄な能力を持つ高コストのものとなっている。
【００３４】
これに対し、空気調和装置８１の室内機８３では、主基板４０に実装される電気部品を基本機能に関するものに絞り、付加機能に関する電気部品は、必要に応じて用意する付加機能駆動基板５０に実装するようにしている。そして、付加機能を追加するときにはＤＣ電源回路４０ａのほかにＤＣ電源回路５０ａを配備するようにして、このＤＣ電源回路５０ａに付加機能のための電源を生成させている。このため、主基板４０に実装することになる電気部品が減り、ＤＣ電源回路４０ａも低コストなものとすることができる。
【００３５】
このように、ここでは、ＤＣ電源回路４０ａを持つ主基板４０を備える電装ユニット３０を、付加機能を持つ空気調和装置と基本機能しか持たない空気調和装置とで共通で使えるものとして低コストで用意できるとともに、付加機能を持つ空気調和装置に対しては、ＤＣ電源回路５０ａを持つ付加機能駆動基板５０をさらに配備することで製造が可能となっている。これにより、共通の電装ユニットの製造コストが抑えられ、特に、基本機能しか持たない空気調和装置の製造コストが低く抑えられるようになる。
【００３６】
（２）
空気調和装置８１の室内機８３では、主基板４０に実装するマイコン４０ｂに基本機能の駆動の制御という役割だけを与え、付加機能の駆動については、付加機能駆動基板５０に実装されるマイコン５０ｂに制御を委ねる構成を採っている。したがって、マイコン４０ｂの仕様を最小限に抑えることができている。このため、付加機能を持つ空気調和装置と基本機能しか持たない空気調和装置とに対して共通となる電装ユニット３０の製造コストが低く抑えられている。
【００３７】
＜変形例＞
（Ａ）
付加機能駆動基板５０のＤＣ電源回路５０ａと商用交流電源とを、主基板４０に設けられたリレーを介して接続するようにした場合には、主基板４０のマイコン４０ｂの判断で所定条件においてＤＣ電源回路５０ａと商用交流電源とを遮断することが考えられる。
【００３８】
例えば、室内機８３が図示しないリモコンからの運転開始信号待ちの状態においては、室外機８２への電源供給を遮断するとともに、付加機能駆動基板５０のＤＣ電源回路５０ａへの商用交流電源からの電源供給を遮断して、省エネルギー化を図ることが考えられる。
（Ｂ）
上記実施形態において付加機能として挙げている機能であっても、廉価版の空気調和装置にも必ず装備される機能となれば、その機能に関する回路は主基板４０に実装されることになる。
【００３９】
（Ｃ）
上記実施形態では、主基板４０のＤＣ電源回路４０ａや付加機能駆動基板５０のＤＣ電源回路５０ａに対して電気ケーブル４９ａおよびコンセントプラグ４９を介して室内から商用交流電源を供給するタイプの空気調和装置８１について説明しているが、コンセントプラグ４９等以外からの電源供給が為されてもよく、また、主基板のＤＣ電源回路や付加機能駆動基板のＤＣ電源回路に対して室外機から電源供給を行うタイプの空気調和装置も考えられる。この場合にも、付加機能駆動基板のＤＣ電源回路に付加機能のための電源を生成させれば、主基板に実装することになる電気部品が減り、主基板のＤＣ電源回路も低コストなものとすることができる。
【００４０】
【発明の効果】
請求項１および請求項２に係る室内機の電装ユニットでは、主基板に実装される電気部品を基本機能に関するものに絞り、付加機能に関する電気部品は必要に応じて用意する付加機能駆動基板に実装するようにしている。そして、付加機能を追加するときには第１電源回路のほかに第２電源回路を配備するようにして、この第２電源回路に付加機能のための電源を生成させている。このため、共通の電装ユニットの製造コストを抑えつつ、付加機能を持つ空気調和装置にも対応することができるようになる。
【００４１】
請求項３に係る室内機の電装ユニットでは、主基板に実装する第１マイクロコンピュータに基本機能の駆動の制御という役割だけを与え、付加機能の駆動については、付加機能駆動基板に実装される第２マイクロコンピュータに制御を委ねる構成を採っているため、第１マイクロコンピュータの仕様を最小限に抑えることができ、主基板および第１電源回路を備える電装ユニットの製造コストがさらに抑えられる。
【００４２】
請求項４に係る室内機の電装ユニットでは、例えば操作入力待ちといった主基板による最小限の基本機能だけが作動していればよい期間において、必要に応じて第２電源回路に対する一次電源からの電源供給を遮断することができるようになる。これにより、付加機能を持ち第１電源回路と第２電源回路とを備えることになる空気調和装置の室内機においても、省エネルギー化を図ることができる。
【図面の簡単な説明】
【図１】本発明の一実施形態に係る室内機の電装ユニットを含む空気調和装置の外観斜視図。
【図２】室内機の分解斜視図。
【図３】室内機の電装ユニットの基本構成を示す図。
【図４】付加機能駆動基板が追加された電装ユニットを示す図。
【図５】基本機能に加えて超音波発生機能が付加される室内機の電装ユニットを示す図。
【図６】基本機能に加えてマイナスイオン発生機能が付加される室内機の電装ユニットを示す図。
【図７】従来の室内機の電装ユニットを示す図。
【符号の説明】
３０    電装ユニット
４０    主基板
４０ａ    ＤＣ電源回路（第１電源回路）
４０ｂ    マイクロコンピュータ（第１マイクロコンピュータ）
５０    付加機能駆動基板
５０ａ    ＤＣ電源回路（第２電源回路）
５０ｂ    マイクロコンピュータ（第２マイクロコンピュータ）
８１    空気調和装置
８３    室内機
【図１】
2004251545.tif 000003
【図２】
2004251545.tif 000004
【図３】
2004251545.tif 000005
【図４】
2004251545.tif 000006
【図５】
2004251545.tif 000007
【図６】
2004251545.tif 000008
【図７】
2004251545.tif 000009